(57)【特許請求の範囲】
【請求項１】
一方の辺が接して連結された境界部を有する少なくとも二つ以上の平板表示素子と、該平板表示素子の画面の表面に設置され、画面に出射される表示光を前記平板表示素子の境界部の中心の方へ誘導する光補償手段とを備えてなるマルチディスプレイ装置であって、
前記光補償手段が、連結された前記平板表示素子の一部のみをカバーし、且つ、前記境界部と、前記平板表示素子の前記境界部に沿った方向に対して垂直な一の方向に配列された赤、緑、青の各画素をそれぞれ少なくとも１つずつ含む画素領域をカバーするように設置される補償レンズであり、
前記補償レンズによってカバーされる画素領域の前記一の方向における各画素間の間隔及び前記カバーされる画素領域における各画素の前記一の方向における幅が、カバーされていない画素領域の前記一の方向における各画素間の間隔及び前記カバーされない画素領域における各画素の前記一の方向における幅に対して、補償レンズの倍率に反比例するように形成されてなるマルチディスプレイ装置。
【請求項２】
前記平板表示素子が、液晶ディスプレイ、フィールドエミッションディスプレイ、プラズマディスプレイまたはエレクトロルミネセンスディスプレイである請求項１記載のマルチディスプレイ装置。
【請求項３】
前記平板表示素子の隣接した側壁と表面に保護フィルムが付着されてなる請求項１または２記載のマルチディスプレイ装置。
【請求項４】
前記補償レンズによってカバーされない領域に透明膜が設置されてなる請求項１〜３のいずれか一項に記載のマルチディスプレイ装置。
【発明の詳細な説明】
【０００１】
【発明の属する技術分野】
本発明はマルチディスプレイ装置に関する。さらに詳しくは、複数の平板表示素子を連結したマルチディスプレイ装置であって、とくに平板表示素子のあいだの境界部の空間を視覚的に補償し、画面の表示品質を向上させたマルチディスプレイ装置に関する。
【０００２】
【従来の技術】
一般的に平板表示素子としては、液晶ディスプレイ（ＬＣＤ：Liquid Crystal Display）、薄膜トランジスタ（ＴＦＴ：Thin Film Transistor）−ＬＣＤ、フィールドエミッションディスプレイ（ＦＥＤ：Field Emission Display）、プラズマディスプレイパネル（ＰＤＰ：Plasma Display Panel）およびエレクトロルミネセンス（ＥＬ：Electro Luminescent）ディスプレイなどが知られている。
【０００３】
このような平板表示素子は、軽薄短小および平面化の特性によってブラウン管を代替して行く趨勢であり、とくに電算システムの端末機用のモニターや壁掛けディスプレイ装置およびノート型パソコンまたは携帯情報端末（ＰＤＡ）のような携帯用機器に主に採用されている。
【０００４】
この平板表示素子は、モニターのウインドウ画面やマルチメディアの実現のために大型化しているが、単一製品で大画面を実現するのは製作費用が高いために経済性が落ちる。また、携帯用機器に適用する場合には空間が狭いため大画面の実現が難しいという短所がある。
【０００５】
このような点を考慮して中間部分を折り畳めるようにし、素子の大きさを小さくしながらも、大画面およびマルチ駆動ができるようにする平板表示素子装置が提案されている。
【０００６】
しかし、この平板表示素子装置は、図１２に示されるように、二つのディスプレイ部２、４を折り畳み式で設置する構成にされているが、この装置では、実際に視聴者に見せるディスプレイ部２、４の境界部６である連結部分およびそのあいだの空間に対する考慮がなされていないため、前記境界部６で両平板表示素子の画面がはっきりと分離（区分）されることによって画面品質が低下する問題がある。
【０００７】
また、両平板表示素子２、４には保護フィルム１０を付着し、その結果、保護フィルム１０の厚さ０．１ｍｍ、シーラント８の厚さ０．１ｍｍおよび平板表示素子間の余裕空間Ｇの０．１ｍｍを考慮すると、境界部６のつなぎ目の全体の長さＬは少なくとも０．５ｍｍ以上になり、画面の表示品質が低下するという問題がある。
【０００８】
【発明が解決しようとする課題】
本発明は、前述した従来技術の問題を解消するために、複数の平板表示素子の境界部を視覚的に補償して外部に表示されないようにし、複数の平板表示素子を一つのディスプレイのように見せることによって画面の表示品質を向上させたマルチディスプレイ装置を提供することを目的とする。
【０００９】
【課題を解決するための手段】
本発明のマルチディスプレイ装置は、一方の辺が接して連結された境界部を有する少なくとも二つ以上の平板表示素子と、該平板表示素子の画面の表面に設置され、画面に出射される表示光を前記平板表示素子の境界部の中心の方へ誘導する光補償手段とを備えてなることを特徴とする。
【００１０】
前記平板表示素子は、液晶ディスプレイ、フィールドエミッションディスプレイ、プラズマディスプレイまたはエレクトロルミネセンスディスプレイである。
【００１１】
前記平板表示素子は、隣接した側壁と前面基板の表面に保護フィルムを付着することができる。
【００１２】
前記光補償手段は、多数の傾斜薄膜とそのあいだに充填される透明体とを含んで構成される。また、前記傾斜薄膜は境界部から遠くなればなるほど、平板表示素子に垂直な角度で構成することができる。前記傾斜薄膜は金属や樹脂、たとえばアクリル樹脂またはポリカーボネートのような透明樹脂で形成される。前記透明体は透明樹脂で形成される。
【００１３】
また、光補償手段としては、境界部と赤（Ｒ）、緑（Ｇ）、青（Ｂ）を含む少なくとも１列の画素をカバーするように設置される補償レンズを用いることができる。該補償レンズによってカバーされる領域は、カバーされていない領域に比べて補償レンズの倍率程度に反比例する長さに形成され、補償レンズによってカバーされてない領域には透明膜を設置できる。
【００１４】
光補償手段の表面には拡散板を設置することができる。
【００１５】
本発明のマルチディスプレイ装置において、前記少なくとも二つ以上の平板表示素子は相互に隣接した平板ディスプレイに対して所定の角度で傾くように設置できる。このとき、平板表示素子の傾斜角は１°〜３０°の範囲で形成する。前記傾斜角は、相互に隣接する平板表示素子の一方の側壁または平板表示素子の前面基板の一方の側壁を切断して実現できる。
【００１６】
【発明の実施の形態】
以下、添付図面に基づいて本発明のマルチディスプレイ装置の実施の形態を詳しく説明する。本発明の実施の形態を説明するにあたり、従来技術として図１２で説明した構成のうち同じ部分については同一符号を付する。
【００１７】
本発明のマルチディスプレイ装置は、複数の平板表示素子を連結することができる。以下の実施の形態では、一番基本になる二つの平板表示素子を連結した構成について説明する。平板表示素子としては、液晶ディスプレイ（ＬＣＤ）、フィールドエミッションディスプレイ（ＦＥＤ）、プラズマディスプレイパネル（ＰＤＰ）またはエレクトロルミネセンス（ＥＬ）ディスプレイなどが使えるが、本発明はこれらに限定されるものではなく、すべての平板ディスプレイの種類を用いることができる。
【００１８】
図１〜５は本発明の第１の実施の形態にかかわるマルチディスプレイ装置を示す図である。
【００１９】
図１および図２に示したように、本実施の形態のマルチディスプレイ装置は、一方の辺が接するように連結された境界部６を有する二つの平板表示素子２０、４０からなり、平板表示素子２０、４０は、図示していない連結手段によって回転式または開閉収納式で設置されている。
【００２０】
前記平板表示素子２０、４０は、たとえばＬＣＤの場合、一対の基板１２、１２ａの内面に、それぞれ透明電極１４、１４ａと図示していない絶縁層および配向層を積層形成し、シーラント８でシーリングされた内部空間に液晶物質１６を注入密封したものである。前記素子の表面には偏光板（図示せず）を付着している。また、側壁と前面基板１２の表面には保護フィルム１０を付着している。
【００２１】
本実施の形態のマルチディスプレイ装置では、前記平板表示素子２０、４０の画面の表面に光補償手段１８を設置している。該光補償手段１８は、平板表示素子２０、４０の画面に出射される表示光の経路を境界部６の中心の方へ傾くように誘導し、外部に出射させるので、使用者が見るときは境界部６が表示されない。
【００２２】
前記光補償手段１８は、平板表示素子２０、４０の画面に出射される表示光を案内するために、平板表示素子２０、４０の境界部６の中心に向かって所定の角度に傾けて形成された多数の傾斜薄膜１８ａと、その傾斜薄膜１８ａのあいだに設置されて導光機能を有する透明体１８ｂとから形成されている。
【００２３】
前記傾斜薄膜１８ａとしては、金属や樹脂、たとえばアクリル樹脂またはポリカーボネートのような透明樹脂を用い、透明体１８ｂとしては透明樹脂を用いる。
【００２４】
このような光補償手段１８の形成方法をより具体的に説明する。まず、外型枠に所定の角度に傾斜薄膜１８ａを傾けて設置して固定し、そのあいだに液状の透明体１８ｂを注入して充填したのち、これを硬化させる。そののち、前記外型枠を除去する。このとき、傾斜薄膜１８ａは、図３に示したようなストライプまたは図４に示したようなグリッド形に形成できる。
【００２５】
また、本実施の形態の光補償手段１８としては、図５に示したように平板表示素子２０、４０の境界部６の中心から遠くなればなるほど、次第に傾斜薄膜１８ａを平板表示素子の表面に垂直な状態（９０°）に構成し、そのあいだに透明体１８ｂを設置することもできる。そのとき、傾斜薄膜１８ａは平板表示素子２０、４０の表面に対して、約７０°〜９０°の範囲で形成し、境界部６の中心部側で７０°、最外部で９０°になるようにする。
【００２６】
このように構成された本実施の形態のマルチディスプレイ装置は、前記画面をストライプまたはグリッド形に区画する傾斜薄膜１８ａによって実際に表示すると、多少異質的に見えることがある。本実施の形態では、このような点を考慮して光補償手段１８の表面に拡散板２２をさらに設置することができる。該拡散板２２により、平板表示素子２０、４０から出射された表示光を分散および散乱させて表示品質を向上させて視野角が拡大する。
【００２７】
つぎに図６〜８は本発明の第２の実施の形態にかかわるマルチディスプレイ装置を示す図である。
【００２８】
図６および図７に示すように、本実施の形態のマルチディスプレイ装置では、前記第１の実施の形態の光補償手段１８の他の形態を示している。すなわち、第２の実施の形態では、平板表示素子２０、４０の画面に出射される表示光を境界部６の方へ誘導して拡大し、境界部６が視覚的に補償される光補償手段１８を示している。
【００２９】
該光補償手段１８としては、画面に出射される表示光を境界部６の中心部へ誘導および拡大する補償レンズ１８ｃが用いられる。この補償レンズ１８は、画面に出射される表示光を所定の倍率で拡大して外部に表示し、使用者に前記境界部６が見えないようにする。
【００３０】
前記補償レンズ１８ｃは、平板表示素子２０、４０の境界部６を含んで少なくとも１列の画素をカバーする領域Ａ１の画面の表面に設置する。画素は上下透明電極１４、１４ａが交差する部分であり、画像を構成する最小の単位である。
【００３１】
前記補償レンズ１８ｃによってカバーされる領域Ａ１内の画素１４０および画素間の空間は、レンズ倍率程度に拡大されるので、実際的には補償レンズ１８ｃによってカバーされない領域Ａ２の画素１４２および画素間の空間より小さく形成されなければならない。
【００３２】
すなわち、補償レンズ１８ｃによってカバーされる領域Ａ１が、境界部６と赤（Ｒ）、緑（Ｇ）、青（Ｂ）を含む１列の画素１４０を含み、補償レンズ１８ｃの倍率を１．３５とすると、残りの領域Ａ２の画素１４２を構成する透明電極１４ａの幅が０．３ｍｍであり、画素間の空間幅が０．０３ｍｍであれば、補償レンズ１８ｃを通して見える領域の画面の長さＬ１は、つぎの式によって得ることができる。
Ｌ１ ＝ Ｌ２／１．３５ ＝ ｛(０．３×３)＋(０．０３×３)｝／１．３５
＝ ０．７３３
【００３３】
これを通じて補償レンズ１８ｃによってカバーされる領域の長さＬ１が、ほかの領域に対して２６％程度小さく形成されたことがわかる。このとき、補償レンズ１８ｃの倍率と長さＬ１は相互に反比例し、その内部に含まれる画素１４０の数によって変化する。
【００３４】
このように設置された補償レンズ１８ｃは、平板表示素子２０、４０による画像を表示するとき、レンズ倍率と屈折率によって視覚的に両平板表示素子２０、４０のあいだの境界部６を最小化することができる。このとき、縮小された領域Ａ１の画素１４０は、補償レンズ１８ｃの倍率によってほかの領域Ａ２の画素１４２と同じ大きさに拡大されて表示されるので、全体的に画面品質を向上させることができる。
【００３５】
一方、図６および図７に示した平板表示素子２０、４０は、補償レンズ１８ｃが設置された部分と、設置されてない部分が異質的に見えることがあるため、本実施の形態では図８に示したように、補償レンズ１８ｃが設置されていない残りの部分に透明膜１８ｄをさらに形成することができる。
【００３６】
該透明膜１８ｄは、補償レンズ１８ｃと同じ材質を用いることができ、一つの材料から製造して平らに形成するのが望ましいが、段差をなくすことができる透明膜であれば、ほかの材料でも可能である。
【００３７】
つぎに図９〜１１は本発明の第３の実施の形態にかかわるマルチディスプレイ装置を示す図である。
【００３８】
図９および図１０に示すように、本実施の形態のマルチディスプレイ装置は１８０°に完全に広げたものではなく、一方の平板表示素子２０を他方の平板表示素子４２に対して所定の傾斜角をもつように配置することにより、両平板表示素子２０、４２の境界部６を視覚的に補償できる。
【００３９】
前記平板表示素子２０、４２の側壁と前面基板１２０の表面には保護フィルム１０が付着され、平板表示素子２０、４２の画面には前述したように、光補償手段１８が設置されている。
【００４０】
前記平板表示素子４２の延長線に対する平板表示素子２０の傾斜角αは、１°〜３０°の範囲にされている。この傾斜角αが１°より小さいと、その効果が小さく、３０°より大きいと、視覚的に異質感が生じるために望ましくない。
【００４１】
両平板表示素子２０、４２を傾くように配置する方法として、本実施の形態では、他方の平板表示素子４２の側壁を画面に垂直な延長線に対して前記傾斜角αの程度に傾けるように形成する。たとえば、図１０では平板表示素子４２の前面基板１２０の側壁１２０ａを精密研磨またはレーザーを利用した切断方法で傾くように形成している。
【００４２】
または、図１１に示されるように、平板表示素子４２の前面基板１２０と後面基板１２２の側壁４４ａのすべてを所定の傾斜角で切断、形成した構造とすることもできる。
【００４３】
【発明の効果】
以上説明したとおり、本発明のマルチディスプレイ装置は、複数の画面を一つの大画面に構成するにあたり、相互に隣接した平板表示素子の間隔、すなわち境界部が外部に表示されないように視覚的に補償することによって複数の平板表示素子を一つの画面のようにすることができる。また、平板表示素子間の異質感を除去して画面の表示品質を向上させることができる。
【図面の簡単な説明】
【図１】本発明の第１の実施の形態にかかわるマルチディスプレイ装置を広げた状態の断面図である。
【図２】図１の一方の平板表示素子を拡大して示す断面図である。
【図３】本発明における光補償手段の一例を示す断面図である。
【図４】本発明における光補償手段の他の例を示す断面図である。
【図５】図１の平板表示素子に拡散板を設置した断面図である。
【図６】本発明の第２の実施の形態にかかわるマルチディスプレイ装置を示す断面図である。
【図７】図６の一方の平板表示素子を拡大して示す断面図である。
【図８】図６の平板表示素子に透明膜を設置した断面図である。
【図９】本発明の第３の実施の形態にかかわるマルチディスプレイ装置を示す断面図である。
【図１０】図９の拡大断面図である。
【図１１】平板表示素子の他の例を示す断面図である。
【図１２】従来のマルチディスプレイ装置を示す断面図である。
【符号の説明】
６  境界部
１０  保護フィルム
１２、１２ａ、１２０、１２２  基板
１４、１４ａ、１４０、１４２  透明電極
１８  光補償手段
１８ａ  傾斜薄膜
１８ｂ  透明体
１８ｃ  補償レンズ
１８ｄ  透明膜
２０、４０、４２  平板表示素子
【図１】
0004912520.tif 000002
【図２】
0004912520.tif 000003
【図３】
0004912520.tif 000004
【図４】
0004912520.tif 000005
【図５】
0004912520.tif 000006
【図６】
0004912520.tif 000007
【図７】
0004912520.tif 000008
【図８】
0004912520.tif 000009
【図９】
0004912520.tif 000010
【図１０】
0004912520.tif 000011
【図１１】
0004912520.tif 000012
【図１２】
0004912520.tif 000013